(57)【要約】      （修正有）【課題】より良い声響効果が得られ、ゲームの進行中の画像と音声がより真実的に出力されるグラフパラメータから音響効果ニーズを推定するゲーム装置を提供する。【解決手段】グラフパラメータと音響効果パラメータを出力するゲームエンジンインタフェース機構１と、ゲームエンジンインタフェース機構１に連接され、グラフパラメータを受信する画像機構２と、画像機構２に連接され、画像機構２から伝送された画像を出力する表示カード３と、同時にグラフパラメータと音響効果パラメータを受信し、グラフパラメータを解析し、元の音響効果パラメータを統合して、音声を出力する根拠とするビデオ−オーディオ統合機構４と、ビデオ−オーディオ統合機構４に連接され、ビデオ−オーディオ統合機構４が伝送した関連音声を出力する音響効果カード５と、が含有される。【選択図】図１
0003145659.tif 000002
【実用新案登録請求の範囲】
【請求項１】
グラフパラメータと音響効果パラメータを出力するゲームエンジンインタフェース機構と、
上記のゲームエンジンインタフェース機構に連接され、グラフパラメータを受信する画像機構と、
上記の画像機構に連接され、画像機構から伝送されタ画像を出力する表示カードと、
グラフパラメータと音響効果パラメータを受信し、グラフパラメータを解析し、元の音響効果パラメータを統合して、音声を出力する根拠とするビデオ−オーディオ統合機構と、
上記のビデオ−オーディオ統合機構に連接され、ビデオ−オーディオ統合機構が伝送しタ関連音声を出力する音響効果カードと、が含有される、ことを特徴とするグラフパラメータから音響効果ニーズを推定するゲーム装置。
【請求項２】
該表示カードは、ディスプレイが連接されることを特徴とする請求項１に記載のグラフパラメータから音響効果ニーズを推定するゲーム装置。
【請求項３】
該ゲームエンジンインタフェース機構と画像機構、表示カード、ビデオ−オーディオ統合機構及び音響効果カードは、メインボートに設置されることを特徴とする請求項１に記載のグラフパラメータから音響効果ニーズを推定するゲーム装置。
【考案の詳細な説明】
【技術分野】
【０００１】
本考案は、グラフパラメータから音響効果を推定するゲーム装置に関し、特に、より良い音声効果が得られ、ゲーム進行中の画像と音声が、より真実的に出力できるものに関する。
【背景技術】
【０００２】
一般の従来のゲーム装置のビデオ−オーディオ信号処理機構８（図３のように）は、ゲームエンジンインタフェースユニット８１とゲームエンジンインタフェース機構８１に連接される画像ユニット８２、ゲームエンジンインタフェース機構８１に連接される音声ユニット８３、画像ユニット８２に連接される表示カード８４及び音声ユニット８３に連接される音響効果カード８５が備えられ、これにより、ゲームエンジンインタフェースユニット８１から、グラフパラメータ  ８１１と音響効果パラメータ  ８１２が出力され、それぞれ、画像ユニット８２と音声ユニット８３によって受信され、画像ユニット８２と音声ユニット８３によって処理されタ後、画像データと音声データを、それぞれ、表示カード８４と音響効果カード８５に伝送し、関連するビデオ−オーディオデータを出力する。
【０００３】
上記の、従来のゲーム装置のビデオ−オーディオ信号処理機構８は、関連するビデオ−オーディオデータを出力できるが、グラフパラメータ  ８１１と音響効果パラメータ  ８１２が、それぞれ、独自でありながら知らぬ画像ユニット（８２）と音声ユニット（８３）に伝送されるため、その情報量は、等しくない。例えば、足が、木の葉を有する地面を踏む時、その画像部分の情報が、グラフパラメータ８１１により画像ユニット８２に伝送され、音声部分が、音響効果パラメータ８１２の設計がより簡単であるため、所定の音響効果パラメータ８１２により、音声処理ユニット８３に伝送されず、そのタめ、ゲーム装置全体の声響効果が制限されている。
【０００４】
本考案者は、上記の欠点を改善するため、慎重に研究開発し、そして、学理を活用して、設計が合理的で有効に上記の欠点を改善できる本考案を提案する。
【考案の開示】
【考案が解決しようとする課題】
【０００５】
本考案の主な目的は、より良い音声効果が得られ、ゲームの進行中の画像と音声が、より真実的に出力されるグラフパラメータから音響効果ニーズを推定するゲーム装置を提供する。
【課題を解決するための手段】
【０００６】
本考案は、上記の目的を達成するため、グラフパラメータと音響効果パラメータを出力するゲームエンジンインタフェース機構と、上記のゲームエンジンインタフェース機構に連接され、グラフパラメータを受信する画像機構と、上記の画像機構に連接され、画像機構から伝送されタ画像を出力する表示カードと、グラフパラメータと音響効果パラメータを受信し、グラフパラメータを解析し、元の音響効果パラメータを統合して、音声を出力する根拠とするビデオ−オーディオ統合機構と、上記のビデオ−オーディオ統合機構に連接され、ビデオ−オーディオ統合機構が伝送しタ関連音声を出力する音響効果カードと、が含有されるグラフパラメータから音響効果ニーズを推定するゲーム装置である。
【考案を実施するための最良の形態】
【０００７】
図１は、本考案の基本構造概念図である。図のように、本考案は、グラフパラメータから音響効果ニーズを推定するゲーム装置であり、少なくとも、ゲームエンジンインタフェース機構１と画像機構２、表示カード３、ビデオ−オーディオ統合機構４及び音響効果カード５から構成され、これにより、より良い音声効果が得られ、ゲームの進行中の画像と音声が、より真実的に出力され、まタ、該ゲームエンジンインタフェース機構１と画像機構２、表示カード３、ビデオ−オーディオ統合機構４及び音響効果カード５は、メインボート６に設置されても良い。
【０００８】
上記のゲームエンジンインタフェース機構１は、グラフパラメータと音響効果パラメータを出力する。
【０００９】
該画像機構２は、上記のゲームエンジンインタフェース機構１に連接され、グラフパラメータを受信する。
【００１０】
該表示カード３は、上記の画像機構２に連接され、画像機構２が伝送しタ画像を出力する。
【００１１】
該ビデオ−オーディオ統合機構４は、同時にグラフパラメータと音響効果パラメータを受信し、グラフパラメータを解析して、音響効果ニーズを推定し、まタ、元の音響効果パラメータを結合して、音声出力の根拠とし、まタ、該影音統合機構４は、少なくとも、グラフと音響効果パラメータ統合解析ユニット４１及び音声統合処理ユニット４２が備えられ、まタ、該影音統合機構４は、ワンチップやＦＰＧＡである。
【００１２】
該音響効果カード５は、上記のビデオ−オーディオ統合機構４に連接され、ビデオ−オーディオ統合機構４が伝送しタ関連音声を出力する。上記の構造により、新規のグラフパラメータから音響効果ニーズを推定するゲーム装置が構成される。
【００１３】
図２は、本考案の使用状態のフロック流れ概念図である。図のように、本考案によれば、該表示カード３と必要とするディスプレイ７０とが連接され、該音響効果カード５が、必要とするスピーカ７１に連接される。
【００１４】
使用する時、該ゲームエンジンインタフェース機構１により同時に、グラフパラメータ１１と音響効果パラメータ１２が出力され、この時、該画像機構２が、ゲームエンジンインタフェース機構１が伝送しタグラフパラメータ１１を受信し、また、該グラフパラメータ１１について関連する処理を行ってから、該画像を表示カード３に伝送して、ディスプレイ７０により画像を出力する。
【００１５】
上記の画像機構２は、画像パラメータ１１をして処理と伝送を行い、該ビデオ−オーディオ統合機構４は、統合解析ユニット４１で、グラフパラメータ１１と音響効果パラメータ１２を受信し、統合された後の音響効果パラメータを、音声統合処理ユニット４２に出力し、待統合処理された後、音声を音響効果カード５に伝送してスピーカ７１から関連する音声を出力し、グラフパラメータの情報が追加され、音響効果のニーズを推定し、これにより、スピーカ７１に出力される関連する音響効果がより豊かになり、また、ディスプレー７０に出力される画像の結合性がより高くなる。
【００１６】
以上のように、本考案に係るグラフパラメータから音響効果ニーズを推定するゲーム装置は、有効に従来の諸欠点を解消でき、より良い音声効果が得られ、ゲームの進行中の画像と音声が、より真実的に出力され、そのため、本考案は、より進歩的かつより実用的で、法に従って実用新案登録請求を出願する。
【００１７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１８】
【図１】本考案の基本構造概念図
【図２】本考案の使用状態のフロック流れ概念図
【図３】従来の使用状態概念図
【符号の説明】
【００１９】
（本考案）
１    ゲームエンジンインタフェース機構
１１  グラフパラメータ
１２  音響効果パラメータ
２    画像機構
３    表示カード
４    ビデオ−オーディオ統合機構
４１  統合解析ユニット
４２  音声統合処理ユニット
５    音響効果カード
６    メインボート
７０  ディスプレイ
７１  スピーカ
（従来）
８    ビデオ−オーディオ信号処理機構
８１  ゲームエンジンインタフェースユニット
８１１  グラフパラメータ
８１２  音響効果パラメータ
８２    画像ユニット
８３    音声ユニット
８４    表示カード
８５    音響効果カード
【図１】
0003145659.tif 000003
【図２】
0003145659.tif 000004
【図３】
0003145659.tif 000005